Podtech/llm-jp-corpus-v4-ja_patent huggingface dataset:
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
コンピューティングデバイスによる実行に応じて、前記コンピューティングデバイスに、
クライアントデバイスのハードウェア構成または前記クライアントデバイスに割り当てられたデバイスクラスのうち少なくとも一つに関するシステム情報を検出するステップと、
前記クライアントデバイスのハードウェア構成または前記クライアントデバイスに割り当てられたデバイスクラスのうち少なくとも一つに関する、検出されたシステム情報に基づき、アプリケーションカタログ中のアプリケーションデータをフィルタリングするステップと、
フィルタリングされたアプリケーションデータを用いて、前記アプリケーションカタログとインターラクションするページ情報を確認するステップと、
前記クライアントデバイスが前記アプリケーションカタログとのインターラクションするページをレンダリングするのに十分な確認済みページ情報を、前記クライアントデバイスに送信するステップと
を含む動作を実行するように構成されたリソースマネージャモジュールをインプリメントさせるコンピュータプログラム。
【請求項２】
前記システム情報は、前記クライアントデバイスのハードウェア構成に関する情報を含む、請求項１に記載のコンピュータプログラム。
【請求項３】
前記システム情報は、前記クライアントデバイスに割り当てられたデバイスクラスに関する情報を含む、請求項１に記載のコンピュータプログラム。
【請求項４】
前記クライアントデバイスに割り当てられたデバイスクラスは、前記クライアントデバイスのデバイスタイプを示すように構成された、請求項３に記載のコンピュータプログラム。
【請求項５】
前記クライアントデバイスに割り当てられたデバイスクラスは、前記クライアントデバイスの一または複数のハードウェアコンポーネントを示すように構成された、請求項３に記載のコンピュータプログラム。
【請求項６】
前記クライアントデバイスのシステム情報を検出するステップは、前記サービスプロバイダのリソースにアクセスする、前記クライアントデバイスからの要求と併せて、前記クライアントデバイスによりネットワークを介してサービスプロバイダに提供されたシステム情報を収集するステップを有する、請求項１に記載のコンピュータプログラム。
【請求項７】
前記クライアントデバイスのシステム情報を検出するステップは、前記クライアントデバイスに関連するクライアントアカウントを参照して、前記システム情報を取得するステップを有する、請求項１に記載のコンピュータプログラム。
【請求項８】
前記クライアントデバイスの検出されたシステム情報に基づいて前記アプリケーションカタログ中のアプリケーションデータをフィルタリングするステップは、前記アプリケーションデータをフィルタリングして、前記検出されたシステム情報により記述される前記クライアントデバイスのデバイス構成にターゲッティングしたアプリケーションを特定するステップを有する、請求項１に記載のコンピュータプログラム。
【請求項９】
前記クライアントデバイスについて検出されたシステム情報に基づき、アプリケーションカタログ中のアプリケーションデータをフィルタリングするステップは、
前記検出されたシステム情報を用いて前記クライアントデバイスの構成と機能を決定するステップと、
前記クライアントデバイスの決定された構成と機能にマッチする前記アプリケーションデータにより記述されたアプリケーションを選択するステップとを有する、
請求項１に記載のコンピュータプログラム。
【請求項１０】
前記ページ情報は、前記クライアントデバイスが、一または複数のフィルタされたアプリケーションカタログのビューを選択的に生成できるようにする、フィルタされたアプリケーションデータを含む、請求項１に記載のコンピュータプログラム。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
サイトカイン結合細胞外ドメインおよびシグナル伝達細胞内ドメインを含むキメラサイトカイン受容体を含む免疫系細胞であって、前記細胞外ドメインが、ＩＬ１０細胞外ドメイン、ＩＬ４細胞外ドメイン、ＩＬ１３細胞外ドメイン、ＴＧＦβ細胞外ドメイン、ＩＬ６細胞外ドメイン、ＩＬ８細胞外ドメイン、およびそれらの組み合わせからなる群から選択され、そして、前記細胞内ドメインが、ＩＬ２細胞内ドメイン、ＩＬ７細胞内ドメイン、ＩＬ１５細胞内ドメインおよびそれらの組み合わせからなる群から選択される、免疫系細胞。
【請求項２】
前記免疫系細胞が、初代Ｔ細胞、Ｔリンパ球およびＮＫ細胞からなる群から選択される、請求項１に記載の細胞。
【請求項３】
前記Ｔリンパ球が、天然起源の腫瘍抗原特異的細胞傷害性Ｔリンパ球である、請求項２に記載の細胞。
【請求項４】
前記免疫系細胞が、ＣＥＡ、ＭＵＣ１、ＭＵＣ５ＡＣ、ＭＵＣ６、テロメラーゼ、ＰＲＡＭＥ、ＭＡＧＥＡ、ＳＳＸ２／４、ＮＹ−ＥＳＯ、ＰＳＣＡ、ＰＳＭＡおよびサバイビンからなる群から選択される腫瘍関連抗原を標的とする、請求項１〜３のいずれか１項に記載の細胞。
【請求項５】
前記免疫系細胞が、キメラ抗原受容体を発現する、請求項１〜４のいずれか１項に記載の細胞。
【請求項６】
前記細胞外ドメインが、ＩＬ１３細胞外ドメインであり、前記細胞内ドメインが、ＩＬ２細胞内ドメインである、請求項１〜５のいずれか１項に記載の細胞。
【請求項７】
前記細胞外ドメインが、ＩＬ４細胞外ドメインであり、前記細胞内ドメインが、ＩＬ７細胞内ドメインである、請求項１〜５のいずれか１項に記載の細胞。
【請求項８】
前記免疫系細胞が、がん治療のために用いられる、請求項１〜７のいずれか１項に記載の細胞。
【請求項９】
前記がんが、膵臓がん、肺がん、乳がん、脳腫瘍、前立腺がん、皮膚がん、卵巣がん、精巣がん、胆嚢がん、脾臓がん、胃腸がん、結腸がん、直腸がん、食道がん、子宮頸がん、膀胱がん、子宮内膜がん、腎臓がん、血液がん、甲状腺がん、および胃がんからなる群から選択される、請求項８に記載の細胞。
【請求項１０】
請求項１〜９のいずれか１項に記載の細胞を製造する方法であって、
免疫細胞を提供または得るステップ；
キメラサイトカイン受容体をコードする発現ベクターで細胞をトランスフェクトするステップ；
を含む方法。
【請求項１１】
前記免疫細胞が、がん治療を必要とする個体由来である、請求項１０に記載の方法。
【請求項１２】
前記ベクターが、レトロウィルスベクター、レンチウィルスベクター、またはトランスポゾンプラスミドである、請求項１０または１１に記載の方法。
【請求項１３】
前記個体に複数の細胞を提供するステップをさらに含む、請求項１１または１２に記載の方法。
【請求項１４】
前記個体が、膵臓がん、肺がん、乳がん、脳腫瘍、前立腺がん、皮膚がん、卵巣がん、精巣がん、胆嚢がん、脾臓がん、胃腸がん、結腸がん、直腸がん、食道がん、子宮頸がん、膀胱がん、子宮内膜がん、腎臓がん、血液がん、甲状腺がん、および胃がんからなる群から選択されるがんを有する、請求項１１〜１３のいずれか１項に記載の方法。
【請求項１５】
請求項１〜９に記載の細胞の治療有効量を個体（ヒトを対象とするものを除く）に送達するステップを含む、個体のがんを治療する方法。
【請求項１６】
前記細胞が、個体に対して自己由来または同種異系である、請求項１５に記載の方法。
【請求項１７】
前記個体が、膵臓がん、肺がん、乳がん、脳腫瘍、前立腺がん、皮膚がん、卵巣がん、精巣がん、胆嚢がん、脾臓がん、胃腸がん、結腸がん、直腸がん、食道がん、子宮頸がん、膀胱がん、子宮内膜がん、腎臓がん、血液がん、甲状腺がん、および胃がんからなる群から選択されるがんを有する、請求項１５または１６に記載の方法。
【請求項１８】
前記細胞が、静脈内送達によって個体に送達される、請求項１５〜１７のいずれか１項に記載の方法。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
マイクロ波パワートランジスタと当該トランジスタ用の中間インピーダンス変換装置を備えるパワートランジスタ配列であって、
前記中間インピーダンス変換装置は、各々が長さを有して基板に亘る又は通じて延びる複数の伸長のマイクロ波伝送線路を支持又は含む誘電性基板を備え、各マイクロ波伝送線路が、第１端と第２端を有し、単位長さ当たり所定の直列インダクタンスであり、また、単位長さ当たり所定のシャントキャパシタンスの電気的に絶縁された導電板又は層と組み合わせて、各マイクロ波伝送線路の長さが、前記導電板又は層と一緒に所定の特性インピーダンス及び位相定数を有し、
前記中間インピーダンス変換装置は、前記マイクロ波伝送線路の第２端とマイクロ波パワートランジスタの対応の端子の間で付随のインピーダンスを持つ各ボンドワイヤにより接続され、前記ボンドワイヤの前記インピーダンスが、前記マイクロ波伝送線路のインピーダンスよりも小さい、配列。
【請求項２】
前記誘電性基板が、１３、又は４０を超える誘電率を有する、請求項１に記載の配列。
【請求項３】
各マイクロ波伝送線路が、導電性マイクロストリップ伝送線路、共平面導波路、導電性ストリップライン伝送線路から成る群から選択されたものである、請求項１又は２に記載の配列。
【請求項４】
第１及び第２対向主面を備える誘電性基板の概して長方形のスラブを備え、第１面が金属被覆され、第２面がそこに亘り延びる少なくとも一つのマイクロ波伝送線路を支持する、請求項１乃至３のいずれか一項に記載の配列。
【請求項５】
前記誘電性基板には、そこに亘り又はそこを通じて延びる複数の実質的に並行なマイクロ波伝送線路が設けられる、請求項１乃至４のいずれか一項に記載の配列。
【請求項６】
各マイクロ波伝送線路が、同一の所定のインダクタンス及び位相定数を生じさせる、請求項１乃至５のいずれか一項に記載の配列。
【請求項７】
前記複数のマイクロ波伝送線路が、異なる所定のインダクタンス及び位相定数を生じさせるように構成される、請求項１乃至５のいずれか一項に記載の配列。
【請求項８】
インピーダンス変換配列であって、第１誘電率を有する第１誘電性基板上に形成されたマッチング回路と、請求項１乃至７のいずれか一項に記載の少なくとも一つのパワートランジスタ配列を備える。
【請求項９】
前記中間インピーダンス変換装置の前記誘電性基板が前記第１誘電率よりも大きい誘電率を有する、請求項８に記載の配列。
【請求項１０】
前記中間インピーダンス変換装置が、前記マイクロ波パワートランジスタのゲート端子上又は入力側に配置される、請求項８又は９に記載の配列。
【請求項１１】
前記中間インピーダンス変換装置が、前記マイクロ波パワートランジスタのドレイン端子上又は出力側に配置される、請求項８乃至１０のいずれか一項に記載の配列。
【請求項１２】
ある中間インピーダンス変換装置が、前記マイクロ波パワートランジスタのゲート端子上又は入力側に配置され、別の中間インピーダンス変換装置が、前記マイクロ波パワートランジスタのドレイン端子上又は出力側に配置される、請求項８乃至１０のいずれか一項に記載の配列。
【請求項１３】
前記又は各マイクロ波伝送線路が第１及び第２端を有し、前記第１端が前記マイクロ波伝送線路よりも短い長さのボンドワイヤ接続により前記マイクロ波パワートランジスタに電気的に接続される、請求項８乃至１２のいずれか一項に記載の配列。
【請求項１４】
前記中間インピーダンス変換装置の一端が、前記マイクロ波パワートランジスタの入力又は出力側に実質的に並列である、請求項８乃至１３のいずれか一項に記載の配列。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）においてスモールセルの位置を開示するオフロードエリア情報をネットワークから受信するステップと、
前記オフロードエリア情報に基づいて、前記ＷＴＲＵがスモールセルのカバレッジエリア内にいる可能性があるかどうかのカバレッジエリア判定を行うステップと、
前記カバレッジエリア判定が条件を満たすことに応答して、前記ＷＴＲＵが前記スモールセルへのオフロードに対する候補であることを示すオフロード表示を前記ネットワークに送信するステップと
を備えたことを特徴とする方法。
【請求項２】
前記オフロードエリア情報は、（ｉ）スモールセルが動作する周波数、または（ｉｉ）スモールセルの無線アクセス技術のうちのいずれか１または複数を含むことを特徴とする請求項１に記載の方法。
【請求項３】
前記オフロードエリア情報は無線リソース制御（ＲＲＣ）メッセージを介して受信されることを特徴とする請求項１に記載の方法。
【請求項４】
前記オフロードエリア情報はシステム情報ブロックを介して受信されることを特徴とする請求項１に記載の方法。
【請求項５】
前記オフロードエリア情報は、セル再選択／セルへのハンドオーバに関連付けられたタイマの満了に基づいて、前記ＷＴＲＵによって受信されることを特徴とする請求項１に記載の方法。
【請求項６】
前記カバレッジエリア判定は、ＷＴＲＵ位置を基準位置および半径と比較することによって、またはＷＴＲＵ位置を複数の位置基準点と比較することによって行われることを特徴とする請求項１に記載の方法。
【請求項７】
前記オフロード表示は、ＷＴＲＵ位置、スモールセルＩＤ、スモールセル周波数、またはオフロードエリアに対応するインデックス値のうちの１つを含むことを特徴とする請求項１に記載の方法。
【請求項８】
前記オフロード表示に応答してスモールセル構成を基地局から受信するステップをさらに備えたことを特徴とする請求項１に記載の方法。
【請求項９】
前記スモールセル構成は、周波数間、ＲＡＴ間、または周波数内測定構成であることを特徴とする請求項８に記載の方法。
【請求項１０】
前記オフロード表示を前記ネットワークに送信するステップは、閾値より低い前記ＷＴＲＵのモビリティ状態が条件とされることを特徴とする請求項１に記載の方法。
【請求項１１】
前記オフロード表示を前記ネットワークに送信するステップは、前記ＷＴＲＵのトラフィックレベルが条件とされることを特徴とする請求項１に記載の方法。
【請求項１２】
スモールセルの位置を開示するオフロードエリア情報をマクロセル基地局から受信し、前記オフロードエリア情報に基づいて、前記ＷＴＲＵがスモールセルのカバレッジエリア内にいる可能性があるかどうかのカバレッジエリア判定を行い、および前記カバレッジエリア判定が条件を満たすことに応答して、前記ＷＴＲＵが前記スモールセルへのオフロードに対する候補であることを示すオフロード表示を前記マクロセルに送信するように構成されたワイヤレス送受信ユニット（ＷＴＲＵ）を備えたことを特徴とする装置。
【請求項１３】
前記ＷＴＲＵは、ＷＴＲＵ位置を基準位置および半径と比較することによって、またはＷＴＲＵ位置を複数の位置基準点と比較することによって、前記カバレッジエリア判定を行うように構成されたことを特徴とする請求項１２に記載の装置。
【請求項１４】
前記ＷＴＲＵは、前記オフロード表示に応答してスモールセル構成を前記基地局から受信するようにさらに構成されたことを特徴とする請求項１２に記載の装置。
【請求項１５】
前記ＷＴＲＵは、閾値より低い前記ＷＴＲＵのモビリティ状態に基づいて前記オフロード表示を前記マクロセルに送信するようにさらに構成されたことを特徴とする請求項１２に記載の装置。
【請求項１６】
前記ＷＴＲＵは、前記ＷＴＲＵのトラフィックレベルに基づいて前記オフロード表示を前記マクロセルに送信するようにさらに構成されたことを特徴とする請求項１２に記載の装置。
【請求項１７】
前記ＷＴＲＵは、セル再選択／セルへのハンドオーバに関連付けられたタイマの満了、周期的タイマの満了、および有効なオフロードエリア情報が不足しているかどうかを前記ＷＴＲＵが最後検証した時に開始されたタイマの満了のうちの少なくとも１つのイベントが発生したときに、前記ＷＴＲＵは有効なオフロードエリア情報が不足しているかどうかを検証するようにさらに構成されたことを特徴とする請求項１２に記載の装置。
【請求項１８】
前記ＷＴＲＵは、
所与のオフロードエリア情報に対して有効性タイマが満了すること、
前記ＷＴＲＵがセル外に移動すること、
前記ＷＴＲＵがアイドルモードに移行すること、
前記ＷＴＲＵが周波数間またはＲＡＴ間ハンドオーバを実行すること、
前記ＷＴＲＵがホームネットワーク外に移動すること、
前記ＷＴＲＵが公衆ネットワークを変更すること、
前記ＷＴＲＵがネットワークによって明示的に命じられ、前記オフロードエリア情報を削除すること、
前記ＷＴＲＵがＲＲＣ状態を変更すること、
前記ＷＴＲＵが新しいオフロードエリア情報を得ること
のいずれか１つのトリガに基づいて、記憶したオフロードエリア情報を削除するようにさらに構成されたことを特徴とする請求項１２に記載の装置。
【請求項１９】
前記オフロード表示は、前記ＷＴＲＵがスモールセルカバレッジエリアに入った、または前記ＷＴＲＵがスモールセルカバレッジエリアを出たことを示すことを特徴とする請求項１２に記載の装置。
【請求項２０】
ワイヤレス送受信ユニット（ＷＴＲＵ）においてスモールセルによってカバーされたエリアを開示するオフロードエリア情報をマクロセル基地局から受信するステップと、
前記オフロードエリア情報に基づいて、前記ＷＴＲＵがスモールセルのカバレッジエリア内にいるという判定を行うステップと、
前記ＷＴＲＵがスモールセルのカバレッジエリア内にいるという判定に応答して、前記スモールセルを検出するための周波数間および／またはＲＡＴ間測定を起動するステップと
を備えたことを特徴とする方法。
【請求項２１】
周波数間および／またはＲＡＴ間測定を起動するステップは、前記ＷＴＲＵのモビリティ状態が条件とされることを特徴とする請求項２０に方法。
【請求項２２】
周波数間および／またはＲＡＴ間測定を起動するステップは、前記ＷＴＲＵのトラフィックレベルが条件とされることを特徴とする請求項２０に方法。
【請求項２３】
ワイヤレス送受信ユニット（ＷＴＲＵ）においてスモールセルによってカバーされたエリアを開示するオフロードエリア情報を基地局から受信するステップと、
前記オフロードエリア情報に基づいて、前記ＷＴＲＵがスモールセルのカバレッジエリア内にいるという判定を行うステップと、
前記ＷＴＲＵがスモールセルのカバレッジエリア内にいるという判定に応答して、
前記ＷＴＲＵがスモールセルへのオフロードに対する候補であることを示すオフロード表示をネットワークエンティティに送信するステップと、
周波数間またはＲＡＴ間測定構成を受信するステップと、
前記構成にしたがった周波数間および／またはＲＡＴ間測定を起動するステップと
を備えたことを特徴とする方法。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
ピアツーピアネットワーク上の第１のピアホストにおいてインターネット・プロトコル・バージョン４（ＩＰｖ４）アドレス・リテラルからインターネット・プロトコル・バージョン６（ＩＰｖ６）アドレスを生成する、コンピュータ実装される方法であって、
第２のピアホストから前記ＩＰｖ４アドレス・リテラルを受信する段階と、
受信したＩＰｖ４アドレス・リテラルをドメイン名変換サーバーのドメイン名付加することによって第一のピアホストにおいてホスト名を構築する段階であって、前記ドメイン名変換サーバーは、前記ＩＰｖ４アドレス・リテラルを含むホスト名を解釈してＩＰｖ４アドレス・リテラルを含むＡレコードを生成するよう構成されている、段階と、
構築したホスト名を前記ドメイン名変換サーバーに送信する段階と、
前記送信する段階に応じて、前記Ａレコードから生成された合成ＩＰｖ６アドレスを受信する段階であって、前記合成ＩＰｖ６アドレスはネットワーク・アドレス変換（ＮＡＴ６４）サーバーを同定する第一の部分および前記ＩＰｖ４アドレス・リテラルに関連付けられたＩＰｖ４ホストを同定する第二の部分を含む段階と、
受信した合成ＩＰｖ６アドレスを用いて、前記ＮＡＴ６４サーバーを通じて、前記Ａレコードで同定された前記ＩＰｖ４ホストに接続する段階とを有する
方法。
【請求項２】
構築されたホスト名をドメイン名変換サーバーに送信する段階により、ドメイン名サーバーが合成ＩＰｖ６アドレスを生成可能であり、前記ドメイン名サーバーは、
前記構築されたドメイン名によって同定されるドメイン名変換サーバーに問い合わせして前記Ａレコードを取得する段階と；
前記Ａレコードを既知のＮＡＴ６４サーバーのアドレスと組み合わせて前記合成ＩＰｖ６アドレスを形成する、前記ＮＡＴ６４サーバーはＩＰｖ４ホストとＩＰｖ６ホストとの間で変換するための使用可能である、段階とを実行する、
請求項１記載の方法。
【請求項３】
前記第一のピアホストにおいて複数の合成的に生成されたＩＰｖ６アドレスを解析して、前記ＩＰｖ４リテラルを合成ＩＰｖ６アドレスにエンコードするために使われている符号化スキームを判別する段階をさらに含む、請求項２記載の方法。
【請求項４】
前記解析が、前記合成ＩＰｖ６アドレスと、該ＩＰｖ６アドレスのそれぞれを生成するために使われたＩＰｖ４リテラル・アドレスとの間の相関付けを実行して、前記ＩＰｖ４アドレスがどのように前記合成ＩＰｖ６アドレス内にエンコードされているかを識別することを含む、請求項３記載の方法。
【請求項５】
ひとたび前記符号化スキームが判別されたら、その後、前記第一のピアホストにおいて合成ＩＰｖ６アドレスを生成する段階をさらに含む、請求項３記載の方法。
【請求項６】
ピアツーピアネットワーク上の第１のピアホストにおいて、インターネット・プロトコル・バージョン４（ＩＰｖ４）アドレス・リテラルからインターネット・プロトコル・バージョン６（ＩＰｖ６）アドレスを生成するコンピュータ実装されるシステムであって、当該システムはプログラム・コードを記憶するメモリおよびプロセッサを有し、前記プロセッサは前記プログラム・コードを処理して：
第２のピアホストからＩＰｖ４アドレス・リテラルを受信する段階と、
受信したＩＰｖ４アドレス・リテラルをドメイン名変換サーバーのドメイン名に付加することによって第一のピアホストにおいてホスト名を構築する段階であって、前記ドメイン名変換サーバーは、前記ＩＰｖ４アドレス・リテラルを含む前記ホスト名を解釈してＩＰｖ４アドレス・リテラルを含むＡレコードを生成するよう構成されている、段階と、
構築されたホスト名をドメイン名変換サーバに送信する段階と、
前記送信する段階に応じて、Ａコードから生成された合成ＩＰｖ６アドレスを受信する段階であって、前記合成ＩＰｖ６アドレスはネットワーク・アドレス変換（ＮＡＴ６４）サーバーを同定する第一の部分および前記ＩＰｖ４アドレス・リテラルに関連付けられたＩＰｖ４ホストを同定する第二の部分を含む段階と、
受信された前記合成ＩＰｖ６アドレスを用いて、前記ＮＡＴ６４サーバーを通じて、前記Ａレコードにより同定されたＩＰｖ４ホストに接続する段階とを含む動作を実行する、
システム。
【請求項７】
構築されたホスト名をドメイン名変換サーバに送信する段階は、ドメインサーバーが合成ＩＰｖ６アドレスを生成できるようにし、前記ドメインサーバーは、
前記構築されたドメイン名によって同定されるドメイン名変換サーバーに問い合わせして前記Ａレコードを取得する段階と；
前記Ａレコードを既知のＮＡＴ６４サーバーのアドレスと組み合わせて前記合成ＩＰｖ６アドレスを形成する、前記ＮＡＴ６４サーバーはＩＰｖ４ホストとＩＰｖ６ホストとの間で変換するための使用可能である、段階とを実行する、
請求項６記載のシステム。
【請求項８】
コンピュータによって実行されたときに前記コンピュータに請求項１ないし５のうちいずれか一項記載の方法を実行させるコンピュータプログラム。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
アデノ随伴ウイルス（ＡＡＶ）ゲノム又はその誘導体及びＲＥＰ１又はその変異体をコードするポリヌクレオチド配列を含む、ベクター。
【請求項２】
誘導体が、キメラ、シャッフル又はカプシド修飾誘導体である、請求項１に記載のベクター。
【請求項３】
ＡＡＶゲノムが、天然由来の血清型、又はＡＡＶの分離株若しくはクレードである、請求項１又は２に記載のベクター。
【請求項４】
血清型が、ＡＡＶ血清型２（ＡＡＶ２）である、請求項３に記載のベクター。
【請求項５】
配列番号１又はその誘導体を含む、請求項４に記載のベクター。
【請求項６】
ポリヌクレオチド配列が、配列番号３の全長配列と少なくとも７０％の相同性を有するポリペプチドをコードするものである、請求項１〜５のいずれか１項に記載のベクター。
【請求項７】
ポリヌクレオチド配列が、配列番号２の全長配列と少なくとも７０％の相同性を有する、請求項６に記載のベクター。
【請求項８】
ＲＥＰ１又はその変異体をコードするポリヌクレオチド配列と作動可能に連結したプロモーター配列を含む、請求項１〜７のいずれか１項に記載のベクター。
【請求項９】
プロモーターが、恒常的に活性である、請求項８に記載のベクター。
【請求項１０】
プロモーターからの発現が、網膜細胞特異的である、請求項８に記載のベクター。
【請求項１１】
１以上の追加的な調節配列を含む、請求項１〜１０のいずれか１項に記載のベクター。
【請求項１２】
配列番号５の全長配列と少なくとも７０％の相同性を有する配列を含む、請求項１１に記載のベクター。
【請求項１３】
ベクター粒子の形態である、請求項１〜１２のいずれか１項に記載のベクター。
【請求項１４】
ベクター粒子がＡＡＶ２血清型である、請求項１３に記載のベクター。
【請求項１５】
患者にベクターを投与することで、コロイデレミアを治療又は予防する方法における使用のための、請求項１〜１４のいずれか１項に記載のベクターを含む医薬。
【請求項１６】
直接網膜に注射、網膜下に注射、又は硝子体内注射により患者に投与されるためのものである、請求項１５に記載の医薬。
【請求項１７】
コロイデレミアを治療又は予防するための医薬の製造における使用のための、請求項１〜１４のいずれか１項に記載のベクター。
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
イントラ予測モードにおける映像復号化方法であって、
現在ブロックのイントラ予測モードを復元するステップと、
現在ブロックの利用可能でない参照画素が存在すれば、利用可能な参照画素を用いて参照画素を生成するステップと、
現在ブロックの前記復元されたイントラ予測モード及び現在ブロックのサイズに基づいて、前記参照画素を適応的にフィルタリングするステップと、
現在ブロックのイントラ予測モード及び前記参照画素を用いて現在ブロックの予測ブロックを生成するステップと、
を含み、
前記参照画素を生成するステップは、前記利用可能でない参照画素の位置から予め決められた方向に最も近い位置の利用可能な参照画素の画素値を利用可能でない参照画素の画素値として設定し、
前記参照画素をフィルタリングするためのフィルタは、前記現在ブロックおよび参照画素間の段差を用いて選択されることを特徴とする映像復号化方法。
【請求項２】
前記利用可能でない参照画素の位置から予め決められた方向に利用可能な参照画素が存在しなければ、反対方向の最も近い位置の利用可能な参照画素の画素値を利用可能でない参照画素の画素値として設定することを特徴とする請求項１に記載の映像復号化方法。
【請求項３】
現在ブロックの残差ブロックを逆量子化し、逆変換する過程をさらに含み、前記逆量子化のために、符号器から受信された情報により決定される量子化マトリックスを用いて前記残差ブロックを逆量子化することを特徴とする請求項１に記載の映像復号化方法。
【請求項４】
前記参照画素を適応的にフィルタリングするステップは、現在ブロックのイントラ予測モードが水平または垂直モードであれば、参照画素をフィルタリングしないことを特徴とする請求項１に記載の映像復号化方法。
【請求項５】
水平モードと対角線方向のイントラ予測モード間の特定方向を有するイントラ予測モードで参照画素がフィルタリングされれば、前記特定方向のイントラ予測モードと前記対角線方向のイントラ予測モードとの間の方向性モードでは、参照画素をフィルタリングすることを特徴とする請求項１に記載の映像復号化方法。
【請求項６】
現在ブロックのイントラ予測モードが垂直モードであれば、予測ブロックの左側境界予測画素は、予測ブロック生成に用いられる上側画素以外の参照画素を用いて変更されることを特徴とする請求項１に記載の映像復号化方法。
【請求項７】
現在ブロックのイントラ予測モードがプラナーモードであれば、現在ブロックの第１の参照値、現在ブロックの右上側コーナ参照画素と接する参照画素、及び現在ブロックの左下側コーナ画素と接する参照画素を用いて予測ブロックの右側境界及び下側境界に位置する予測画素を生成することを特徴とする請求項１に記載の映像復号化方法。
【請求項８】
前記第１の参照値は、現在ブロックの２個の予め決められた位置の画素の画素値の平均値を用いて生成することを特徴とする請求項７に記載の映像復号化方法。
【請求項９】
現在ブロックの予測モードがＤＣモードであれば、現在ブロックのサイズに関係なく、予測ブロックの予測画素のうち、参照画素と接する予測画素を前記少なくとも１つ以上の参照画素を用いてフィルタリングすることを特徴とする請求項１に記載の映像復号化方法。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
１次テーブルと２次テーブルとを有するルックアップメモリであって、前記２次テーブルがターナリ（ｔｅｒｎａｒｙ）ルールの第１のセットを含み、前記１次テーブルがバイナリ（ｂｉｎａｒｙ）ルールのセットを含み、各バイナリルールが、ターナリルールの第２のセットからの少なくとも１つのターナリルールのバイナリバージョンである、前記ルックアップメモリと、
前記ルックアップメモリに結合されるサーチエンジンと、
を含む装置であって、
前記サーチエンジンが、
データワードを受信するように構成されるコントローラと、
前記ルックアップメモリと前記コントローラとに結合されるハッシュロジックと、
を含み、
前記ハッシュロジックが、各データワードが前記バイナリルールの少なくとも１つに整合するかを判定するために前記１次テーブルのバイナリサーチを実行するように構成され、ハッシュロジックと１次テーブルとによる非整合がある場合、前記サーチエンジンが、前記非整合に関連付けられる前記データワードがターナリルールの前記第１のセットからの前記ターナリルールの少なくとも１つに整合するかを判定するために前記２次テーブルのターナリサーチを実行するように構成される、装置。
【請求項２】
請求項１に記載の装置であって、
前記１次テーブルが、ダイナミックメモリとスタッシュ（ｓｔａｓｈ）メモリとを更に含む、装置。
【請求項３】
請求項２に記載の装置であって、
前記スタッシュメモリがＣＡＭ（ｃｏｎｔｅｘｔ−ａｄｄｒｅｓｓａｂｌｅ  ｍｅｍｏｒｙ）である、装置。
【請求項４】
請求項３に記載の装置であって、
前記ダイナミックメモリがスタティックランダムアクセスメモリ（ＳＲＡＭ）である、装置。
【請求項５】
請求項４に記載の装置であって、
前記２次テーブルがターナリＣＡＭ（ＴＣＡＭ）を更に含む、装置。
【請求項６】
請求項４に記載の装置であって、
前記装置が、
共有メモリと、
複数のポートマネージャと、
を更に含み、
各ポートマネージャが、
入力データパケットを受信するように構成され、前記共有メモリと前記サーチエンジンとに結合される、通信回路要素と、
前記通信回路要素に結合されるパーサと、
を含み、
前記パーサが、各入力データパケットをパースし、そのヘッダーを抽出するように構成され、各データワードが少なくとも１つのヘッダーに関連付けられる、装置。
【請求項７】
請求項６に記載の装置であって、
前記装置が、前記サーチエンジンと通信するアクションテーブルを更に含む、装置。
【請求項８】
請求項７に記載の装置であって、
前記通信回路要素が、
前記パーサに結合される媒体アクセスコントローラ（ＭＡＣ）と、
前記共有メモリと前記ＭＡＣとの間に結合される送信パイプラインと、
前記共有メモリと前記ＭＡＣとの間に結合される受信パイプラインと、
前記パーサと前記サーチエンジンとの間に結合されるサーチインタフェースと、
を更に含む、装置。
【請求項９】
請求項８に記載の装置であって、
前記ハッシュロジックが、鍵付きハッシュ関数を各データワードに適用する、装置。
【請求項１０】
方法であって、
複数のパケットを受け取ることであって、各パケットがボディとヘッダーとを有する、前記複数のパケットを受け取ることと、
そのヘッダーを抽出するために各パケットをパースすることと、
ハッシュ関数を各ヘッダーに適用することと、
各ハッシュされたヘッダーを１次テーブル内にストアされた複数のバイナリルールと比較することであって、各バイナリルールがターナリルールの第１のセットからの少なくとも１つのターナリルールのバイナリバージョンである、前記比較することと、
前記複数のルールとの各非整合に対して、各非整合に関連付けられるヘッダーを用いて２次テーブルを検索することであって、前記２次テーブルがターナリルールの第２のセットを含む、前記検索することと、
を含む、装置。
【請求項１１】
請求項１０に記載の方法であって、
前記１次テーブルがＳＲＡＭとＣＡＭとを更に含む、方法。
【請求項１２】
請求項１１に記載の方法であって、
前記２次テーブルがＴＣＡＭである、方法。
【請求項１３】
請求項１２に記載の方法であって、
前記２次テーブルを検索する工程が、前記ＴＣＡＭ内の複数のバンクを同時に検索することを更に含む、方法。
【請求項１４】
請求項１１に記載の方法であって、
前記方法が、
各非整合に対して新しいルールと新しいアクションとを生成することと、
前記新しいルールと新しいアクションとを前記ＳＲＡＭにストアすることと、
を更に含む、方法。
【請求項１５】
請求項１４に記載の方法であって、
前記ハッシュ関数が鍵付きハッシュ関数である、方法。
【請求項１６】
バイナリルールのセットを含む１次テーブルであって、各バイナリルールがターナリルールの第１のセットからの少なくとも１つのターナリルールのバイナリバージョンである、前記１次テーブルと、
ターナリルールの第２のセットを含む２次テーブルと、
スイッチング回路であって、
共有メモリと、
サーチエンジンであって、
データワードを受け取るように構成されるコントローラと、
ルックアップメモリと前記コントローラとに結合されるハッシュロジックであって、各データワードが前記バイナリルールの少なくとも１つと整合するかを判定するために前記１次テーブルのバイナリサーチを行なうように構成され、ハッシュロジックと１次テーブルとによる非整合がある場合に、前記サーチエンジンが、前記非整合に関連するデータワードが前記ターナリルールの第２のセットからの少なくとも１つのターナリルールと整合するかを判定するように構成される、前記ハッシュロジックと、
を含む、前記サーチエンジンと、
複数のポートマネージャであって、各々が前記サーチエンジンと通信する、前記複数のポートマネージャと、
を含む、スイッチング回路と、
前記スイッチング回路と通信する入出力（Ｉ／Ｏ）回路と、
を含む、装置。
【請求項１７】
請求項１６に記載の装置であって、
前記１次テーブルがＳＲＡＭとＣＡＭとを更に含む、装置。
【請求項１８】
請求項１７に記載の装置であって、
入力データパケットを受け取るように前記Ｉ／Ｏ回路に結合されるＭＡＣと、
前記共有メモリと前記ＭＡＣとの間に結合される送信パイプラインと、
前記共有メモリと前記ＭＡＣとの間に結合される受信パイプラインと、
前記受信パイプラインに結合されるパーサであって、各入力データパケットをパースしてそのヘッダを抽出するように構成され、各データワードが少なくと１つのヘッダに関連付けられる、前記パーサと、
前記パーサと前記サーチエンジンとの間に結合されるサーチインターフェースと、
を更に含む、装置。
【請求項１９】
請求項１８に記載の装置であって、
前記Ｉ／Ｏ回路が、
複数の物理層（ＰＨＹ）回路であって、各ＰＨＹ回路が前記スイッチング回路と通信する、前記複数のＰＨＹ回路と、
複数のポートであって、各ポートが前記ＰＨＹ回路の少なくと１つと通信する、前記複数のポートと、
を更に含む、装置。
【請求項２０】
請求項１９に記載の装置であって、
前記２次テーブルがＴＣＡＭを更に含む、装置。
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
糖と、脂肪と、球状タンパク質変性度が約７５％〜約９８％の間であるタンパク質とを含み、温度４℃かつずり速度７５ｓ−１で測定したときに粘度が約１０ｃＰ〜約７０ｃＰの間の範囲であり、
添加された安定剤、合成乳化剤、緩衝塩、又は、人工白色化剤を含まない、天然の、乳製品を主体とした安定なクリーマーであって、
約１０：１〜約１８：１の範囲の糖：タンパク質質量比を有する、クリーマー。
【請求項２】
粘度が、温度４℃かつずり速度７５ｓ−１で測定したときに、約１１ｃＰ〜約４０ｃＰの間の範囲である、請求項１に記載のクリーマー。
【請求項３】
粘度が、温度４℃かつずり速度７５ｓ−１で測定したときに、約１２ｃＰ〜約１６ｃＰの間の範囲である、請求項１に記載のクリーマー。
【請求項４】
前記タンパク質供給源からの前記タンパク質のタンパク質変性は、クリーマー中の球状タンパク質の変性を引き起こす、均質化、蒸気注入若しくは噴射による直接加熱、管式熱交換器による間接的熱処理、超音波、高圧処理、又はこれらの任意の組合せにより実現され得る、請求項１に記載のクリーマー。
【請求項５】
前記糖が、ビート、サトウキビ、練乳、蜂蜜、糖蜜、アガベシロップ、メープルシロップ、麦芽、トウモロコシ、タピオカ、ジャガイモ、及びこれらの組合せからなる群から選択される糖供給源に由来する、請求項１に記載のクリーマー。
【請求項６】
前記タンパク質が、液状牛乳、豆乳、ヘビークリーム、バターミルク、チョコレートミルク、練乳、無糖練乳、米粉、ホエータンパク質ミクロゲル、大豆タンパク質粉末、全脂粉乳、脱脂粉乳、及びこれらの組合せからなる群から選択されるタンパク質供給源に由来する、請求項１に記載のクリーマー。
【請求項７】
前記脂肪が、ヘビークリーム、液状全乳、部分脱脂液状乳、全脂粉乳、無水乳脂肪、及びこれらの組合せからなる群から選択される脂肪供給源に由来する、請求項１に記載のクリーマー。
【請求項８】
風味料、甘味料、着色料、及びこれらの組合せからなる群から選択される原材料を含む、請求項１に記載のクリーマー。
【請求項９】
コーヒー、茶、又はココアのうちの少なくとも１つと、
請求項１記載のクリーマーと、を備える消費可能製品。
【請求項１０】
前記タンパク質が、液状牛乳、豆乳、ヘビークリーム、バターミルク、チョコレートミルク、練乳、無糖練乳、米粉、ホエータンパク質ミクロゲル、大豆タンパク質粉末、全脂粉乳、脱脂粉乳、及びこれらの組合せからなる群から選択されるタンパク質供給源に由来する、請求項９に記載の消費可能製品。
【請求項１１】
前記脂肪が約４質量％〜１０．５質量％の間の範囲である、請求項９に記載の消費可能製品。
【請求項１２】
前記脂肪が、ヘビークリーム、液状全乳、部分脱脂液状乳、全脂粉乳、無水乳脂肪、及びこれらの組合せからなる群から選択される脂肪供給源に由来する、請求項９に記載の消費可能製品。
【請求項１３】
脂肪、糖、及びタンパク質を合わせて、糖：タンパク質質量比が約１０：１〜約１８：１の範囲である混合物を生成するステップと、
前記混合物を４５〜８５℃の温度で加熱して、前記混合物において約７５％〜約９８％の間の球状タンパク質変性度を実現して、クリーマーを生成するステップと、
を含む請求項１に記載のクリーマーの製造方法であって、
前記クリーマーが、温度４℃かつずり速度７５ｓ−１で測定したときに約１０ｃＰ〜約７０ｃＰの間の範囲である粘度を有する、クリーマーの製造方法。
【請求項１４】
前記クリーマーを均質化し、無菌的に加工するステップを含む、請求項１３に記載の方法。
【請求項１５】
前記脂肪及びタンパク質は前記乳製品供給源に由来し、前記乳製品供給源は前記乳製品供給源を糖と合わせる前に低温殺菌する、請求項１３に記載の方法。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
通信ネットワークを介してリモートサーバに接続されたクライアント装置のユーザに対してビデオゲームコンテンツを提供する方法であって、
前記クライアント装置にてビデオゲーム背景データを記憶すること、
前記リモートサーバに１つ以上の移動オブジェクトを示す移動オブジェクトデータを記憶すること、
クライアント側から、ビデオゲームコンテンツの出力に関するデータを含む信号を送信すること、
前記信号の受信に応じて、前記背景データではなく前記移動オブジェクトデータを前記リモートサーバから前記クライアント装置にストリーミングすること、
前記移動オブジェクトデータと前記背景データとを組み合わせ、１つ以上のオブジェクトが動く画像を含むビデオゲームコンテンツを作成すること、
前記ユーザに前記ビデオゲームコンテンツを出力することを含む、方法。
【請求項２】
前記移動オブジェクト又は各々の前記移動オブジェクトが３次元の表示であり、前記移動オブジェクトデータが前記移動オブジェクト又は各々の前記移動オブジェクトの２次元表示を含み、前記リモートサーバ上に、３次元モデルから前記２次元表示をレンダリングすることを含む、請求項１に記載の方法。
【請求項３】
前記ビデオゲーム背景データが、前記移動オブジェクト又は各々の前記移動オブジェクトが動く背景の表示を含み、前記２次元表示を前記サーバ上でレンダリングするステップは前記移動オブジェクト又は各々の前記移動オブジェクトに前記背景を反射させることを含み、前記信号は前記リモートサーバが前記移動オブジェクト又は各々の前記移動オブジェクトの周囲の背景を復元するために十分な情報を含んでいる、請求項２に記載の方法。
【請求項４】
前記信号は、前記背景に対する、前記移動オブジェクト又は各々の前記移動オブジェクトの位置の指標を含む、請求項３に記載の方法。
【請求項５】
前記信号は、前記移動オブジェクト又は各々の前記移動オブジェクトの周囲にある複数のオブジェクトの記述を含む、請求項３又は４に記載の方法。
【請求項６】
ユーザにビデオゲームコンテンツを提供するネットワークであって、
処理手段、ビデオゲーム背景データを記憶するように構成された記憶手段、及び表示手段を有するクライアント装置と、
１つ以上の移動オブジェクトを示す移動オブジェクトデータを記憶するように構成された記憶手段を備えるリモートサーバと、を備え、
前記クライアント装置及び前記リモートサーバは通信ネットワークを介して接続されており、
前記処理手段は、前記リモートサーバに、ビデオゲームコンテンツの出力に関するデータを含む信号を送信するように作動可能であり、
前記リモートサーバは、前記信号の受信に応じて、前記背景データではなく前記移動オブジェクトデータを前記クライアント装置にストリーミングするように作動可能であり、
前記処理手段はさらに、前記移動オブジェクトデータと前記背景データとを組み合わせ、前記１つ以上のオブジェクトが動く画像を含むビデオゲームコンテンツを作成し、前記ユーザに前記ビデオゲームコンテンツを、前記表示手段を介して出力ように作動可能である、ネットワーク。
【請求項７】
ビデオゲームにおける１つ以上の移動オブジェクトを示す移動オブジェクトデータを記憶する記憶手段を有するリモートサーバであって、クライアント装置から受信された、ビデオゲームコンテンツの出力に関するデータを含む信号に応じて、前記移動オブジェクトデータを前記クライアント装置へ、通信ネットワークを介してストリーミングするように作動可能であり、前記移動オブジェクトデータがビデオゲームの背景データを含まず、移動オブジェクトデータのみでユーザに前記ビデオゲームのプレイを許可しない、リモートサーバ。
【請求項８】
前記ビデオゲームコンテンツの出力に関する前記データは、１つ以上のオブジェクトの動作に関するユーザ入力制御信号を含み、前記リモートサーバは、前記ユーザ入力制御信号に応じて前記移動オブジェクトデータを前記クライアント装置にストリーミングするように設けられた、請求項７に記載のリモートサーバ。
【請求項９】
前記記憶手段は、前記ビデオゲームに関連付けられた前記背景データの一部を記憶し、前記リモートサーバは、クライアント装置から、前記記憶手段に記憶されている背景データに関する要求を受信し、前記移動オブジェクトデータと共に前記クライアント装置に前記要求された背景データをストリーミングするように作動可能である、請求項７又は８に記載のリモートサーバ。
【請求項１０】
通信ネットワークを介してリモートサーバに接続されたクライアント装置からビデオゲームコンテンツをユーザに提供する方法であって、
記クライアント装置にてビデオゲーム背景データを記憶すること、
デオゲームコンテンツの出力に関するデータを含む信号を前記クライアント装置から送信すること、
記リモートサーバからストリーミングされた、前記背景データを含まない１つ以上の移動オブジェクトを示す移動オブジェクトデータを受信すること、
記移動オブジェクトデータと前記背景データとを組み合わせて、前記１つ以上のオブジェクトが動く画像を含むビデオゲームコンテンツを作成すること、ならびに、
記ユーザに前記ビデオゲームコンテンツを出力することを含む、方法。
【請求項１１】
ユーザ入力手段と、ビデオゲーム背景データを記憶するように構成された記憶手段と、ネットワークインターフェースと、処理手段とを備えるクライアント装置であって、前記処理手段はネットワークインターフェースを用いて、通信ネットワークを介して接続されているリモートサーバにビデオゲームコンテンツの出力に関するデータを含む信号を送信するように設けられ、
記ネットワークインターフェースは、前記信号に応じて前記リモートサーバからストリーミングされた、前記背景データではない移動オブジェクトデータを受信するように設けられ、
記処理手段は、前記移動オブジェクトデータと前記背景データとを組み合わせ、前記１つ以上のオブジェクトが動く画像を含むビデオゲームコンテンツを作成し、前記ユーザに対して前記ビデオゲームコンテンツを出力するように設けられた、クライアント装置。
【請求項１２】
前記ビデオゲーム背景データは、前記ビデオゲーム中に表示される背景を示し、前記ビデオゲームのプレイを可能とする移動オブジェクトデータを含んでいない、請求項１１に記載のクライアント装置。
【請求項１３】
前記処理手段は、前記ユーザ入力手段から１つ以上のオブジェクトの動作に関する制御信号を受信し、受信された前記ユーザ入力制御信号を含むビデオゲームコンテンツの出力に関する前記データを、前記ネットワークインターフェースを用いて前記リモートサーバに送信する、請求項１１又は１２に記載のクライアント装置。
【請求項１４】
コンピュータ読取可能なコードを記録するデータ担体であって、前記コードは、ビデオゲーム中に表示される背景を示すビデオゲーム背景データを含み、前記コードが適切な処理手段で実行されると、前記背景データを、１つ以上の移動オブジェクトを示す、前記背景データを含まない前記ストリーミングされた移動オブジェクトデータと組み合わせ、前記１つ以上のオブジェクトが背景に対応して動く画像を含むビデオゲームコンテンツを作成することができる、データ担体。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
四方に動くことができる船舶に電力ケーブルを接続する装置であって、前記電力ケーブルは、外側保護層と、前記船舶内に位置する選択された構成要素への接続用の導電ワイヤを収容する内部コアとを含み、前記装置は、
ボール及びソケットであって、前記ソケットは、前記ボールを保持するように前記船舶内に取り付けられると共に、前記ボールの上下の移動を抑えながら、前記ボールが回転すること及び前記ソケット内を動き回ることを可能にするように形付けられる、ボール及びソケットと、
前記内部コアが前記ボールを通り抜けることを可能にしながら、前記電力ケーブルの前記外側保護層を前記ボールに確実に取り付ける手段と、
前記内部コアの前記導電ワイヤを内部コネクタに接続する手段と、
前記内部コネクタにおける前記導電ワイヤと、前記船舶内の予め選択された点との間に接続されるフレキシブルワイヤ接続部と、
を備える、装置。
【請求項２】
前記内部コネクタにおける前記導電ワイヤと前記船舶内の予め選択された点との間に接続される前記フレキシブルワイヤ接続部は、フレキシブルケーブル内に収容される、請求項１に記載の装置。
【請求項３】
前記船舶は下側を有し、前記ソケットは、前記船舶の前記下側又は前記下側付近に位置する、請求項１に記載の装置。
【請求項４】
前記船舶は、前記電力ケーブルを介して配電される電力を生成する波エネルギー変換機器を含む波エネルギー変換器（ＷＥＣ）ブイである、請求項１に記載の装置。
【請求項５】
前記内部コアが前記ボールを通り抜けることを可能にしながら、前記電力ケーブルの前記外側保護層を前記ボールに確実に取り付ける手段は、前記ボールの前記下側から前記ボールの前記上側まで延在するコンジットを含み、前記コンジットは、堅く確実に前記ボールに取り付けられ、前記電力ケーブルは、前記コンジットを通って延在し、前記外側保護層は、前記コンジットに取り付けられ、かつ前記コンジットを介して前記ボールに取り付けられる、請求項１に記載の装置。
【請求項６】
前記コンジットは、前記ボールの下方に延在する底端部を有しかつ前記ボールの上方に延在する上端部を有するパイプであり、前記パイプは、前記底端部に接続されかつ前記パイプに対して概ね垂直な方向に延在する底部フランジを有すると共に、前記上端部に接続されかつ前記パイプに対して概ね垂直な方向に延在する上部フランジを有する、請求項５に記載の装置。
【請求項７】
前記電力ケーブルの前記外側保護層を前記ボールに確実に取り付ける手段と、前記内部コアの前記導電ワイヤを内部コネクタに接続する手段とは、前記上部フランジの上方に位置する耐水接続箱内に位置する、請求項６に記載の装置。
【請求項８】
前記ボールは、水中にあるか又は水面付近にある下側と、前記下側の反対に位置する上側とを有し、曲げ制限器は、前記ボールの前記下側への通路又は前記下側への通路の付近において前記電力ケーブルの周囲に取り付けられる、請求項１に記載の装置。
【請求項９】
前記内部コアの前記導電ワイヤを内部コネクタに接続する手段は、前記内部コアの前記導電ワイヤと、前記内部コネクタと、前記フレキシブルワイヤ接続部とを水から免れるように保つ耐水封入部を含む、請求項１に記載の装置。
【請求項１０】
前記船舶は上側及び下側を有すると共に、前記下側に沿って中央に位置するコンジットを含み、前記コンジットは、前記下側から前記上側に向かって延在し、前記ソケットは、前記船舶の前記下側付近において前記コンジット内に位置する、請求項１に記載の装置。
【請求項１１】
前記船舶は、上側及び下側を有すると共に、前記船舶の水平面に沿って中央に位置する空間を含み、前記空間は、前記下側から前記上側まで延在し、前記空間内にチャンバーが位置し、前記チャンバーは、前記ソケット及び前記ボールと、前記電力ケーブルの上端と、前記内部コネクタと、前記フレキシブルワイヤ接続部とを収容する、請求項１に記載の装置。
【請求項１２】
前記ボールは概ね球形であり、耐久性のある材料から作成される、請求項１に記載の装置。
【請求項１３】
前記ボールは、水中にあるか又は水面付近にある下側と、前記下側の概ね反対に位置する上側とを有し、前記電力ケーブルは、前記ボールの中心を通り抜け、前記電力ケーブルの前記外側保護層は、前記ボールの前記上側に取り付けられる、請求項１に記載の装置。
【請求項１４】
電力ケーブルを、前記電力ケーブルを介して配電される電力を生成する波エネルギー変換機器を含む波エネルギー変換器（ＷＥＣ）ブイに接続する装置であって、前記電力ケーブルは、外側保護層と、前記ＷＥＣブイ内に位置する選択された構成要素への接続用の導電ワイヤを収容する内部コアとを含み、前記装置は、
ボール及びソケットであって、前記ソケットは、前記ボールを保持するように前記ＷＥＣブイ内に取り付けられると共に、前記ボールの上下の移動を抑えながら、前記ボールが回転すること及び前記ソケット内を動き回ることを可能にするように形付けられる、ボール及びソケットと、
前記内部コアが前記ボールを通り抜けることを可能にしながら、前記電力ケーブルの前記外側保護層を前記ボールに確実に取り付ける手段と、
前記内部コアの前記導電ワイヤを内部コネクタに接続する手段と、
前記内部コネクタにおける前記導電ワイヤと、前記ＷＥＣブイ内の予め選択された点との間に接続されるフレキシブルワイヤ接続部と、
を備える、装置。
【請求項１５】
前記ボールは、前記ＷＥＣブイの内側に面する上側と、前記ＷＥＣブイの外側に面する下側とを有し、前記外側保護層を取り付ける手段は、前記外側保護層を前記ボールの前記上側に取り付けることを含む、請求項１４に記載の装置。
【請求項１６】
前記内部コアが前記ボールを通り抜けることを可能にしながら、前記電力ケーブルの前記外側保護層を前記ボールに確実に取り付ける手段は、前記ボールの下方に延在する底端部を有しかつ前記ボールの上方に延在する上端部を有するパイプを含み、前記パイプは、前記底端部に接続されかつ前記パイプに対して概ね垂直な方向に延在する底部フランジを有すると共に、前記上端部に接続されかつ前記パイプに対して概ね垂直な方向に延在する上部フランジを有する、請求項１４に記載の装置。